(57)【要約】      （修正有）【課題】キャッチアンドリリースの文化を広げ、水産資源を保護し無益な殺生を避けるために、釣り上げた魚を生存可能な水圧と温度を有する生息可能な任意の深度域に簡単にリリースすることを可能とするリリースジグを提供する。【解決手段】釣り上げた魚を生息深度域にリリースするためのリリースジグ１であって、ウエイト部材２と、ウエイト部材２の一端部２ａから反ウエイト部材２方向に延出するとともに湾曲させて先端部３ｂを反転させたフック部材３と、フック部材３の湾曲部３ｃの頂点近傍に装備した結束部材４とからなる。【選択図】図１
0003196937.tif 000002
【実用新案登録請求の範囲】
【請求項１】
釣り上げた魚を生息深度域にリリースするためのリリースジグであって、
ウエイト部材と、該ウエイト部材の一端部から反ウエイト部材方向に延出するとともに湾曲させて先端部を反転させたフック部材と、該フック部材の湾曲部の頂点近傍に装備した結束部材とからなることを特徴とするリリースジグ。
【請求項２】
結束部材に釣り竿から繰り出したラインを結束して吊支した場合に、フック部材の先端が鉛直方向に位置する請求項１記載のリリースジグ。
【請求項３】
結束部材に釣り竿から繰り出したラインを結束して海中に投下した場合に、ウエイト部材がフック部材の先端部より先行して沈降する請求項１又は２記載のリリースジグ。
【請求項４】
ウエイト部材が所定長さの紡錘形からなり、ウエイト部材の長手方向の一端部からフック部材を延出させた請求項１，２又は３記載のリリースジグ。
【請求項５】
フック部材の先端部をかえしのない先鋭に形成し、リリースする魚の所定箇所に挿通可能とした請求項１，２，３又は４記載のリリースジグ。
【請求項６】
結束部材が、フック部材の先端に挿通したリリースする魚のウエイト部材方向への移動を規制するストッパとなる請求項１，２，３，４又は５記載のリリースジグ。
【請求項７】
結束部材として、フック部材の湾曲部の頂点近傍に環体を形成した請求項１，２，３，４，５又は６記載のリリースジグ。
【請求項８】
ウエイト部材の他端部に補充のウエイトを連結するための連結具を装備した請求項１，２，３，４，５，６又は７記載のリリースジグ。
【請求項９】
連結具として、環体を突設した請求項８記載のリリースジグ。
【考案の詳細な説明】
【技術分野】
【０００１】
本考案は釣り上げた魚を生息可能な水圧と温度を有する生息可能な任意の深度域に速やかにリリースするためのリリースジグに関するものである。
【背景技術】
【０００２】
釣りの目的がレジャーフィッシング、スポーツフィッシング等の純然たる遊漁の場合は勿論、自家消費の場合、更には商業利用の場合であっても、釣り上げた魚がターゲットとする種類以外の魚，サイズ外の魚，必要量を超えた魚等の場合は、水産資源の保護及び無益な殺生を避けるという観点から釣り上げた魚をその場で放流するキャッチアンドリリースの普及が広がりを見せている。
【０００３】
リリースの目的は、釣り上げた魚を釣った水域のその場所で放流することによって、再び生息し続けるようにすることである。釣り上げた魚は、釣師との戦いにより魚体が損傷や疲弊をしており、又強いストレスを受けているため、リリースに際しては、生息を可能とするために速やかに、かつ、魚体に損傷やストレスを与えないように放流することが求められる。
【０００４】
そこで、従来より釣り上げた魚を釣り針から迅速に外すために、釣り針に釣り糸とは別に魚を取り外すためのリリース糸を取り付けた釣り具（特許文献１）も提供されている。また、魚の体温は低温なので、人が素手で触れると魚は火傷状態となったり、不用意に触ると鱗やヌメリがとれてしまう等の損傷を受けることがあるため、リリース時の魚へのダメージを軽減させるための釣用手袋も提供されている（特許文献２）。
【先行技術文献】
【特許文献】
【０００５】
【特許文献１】特開２００３−８８２７６号公報
【特許文献２】実用新案登録第３１４２７８９号公報
【考案の概要】
【考案が解決しようとする課題】
【０００６】
生息深度域が浅い魚の場合は、釣り上げた魚が生存している間にそのまま速やかに、或いは前記した特許文献１，２に示すような器具を使用して釣り上げた魚に損傷やストレスを与えないように注意深く海面からリリースすれば、その目的を達成することが可能である。
【０００７】
一方、近時は釣具の改良や技術向上により、遊漁であっても従来より深い深度域に生息する魚も釣り上げることが可能となっている。特に、船からジグを垂直に落としロッドを上下運動させてジグをアクションさせながら巻き上げることによって、カンパチやヒラマサ，ブリ，マダイ，メジマグロ，カサゴ，ハタ等の釣りの醍醐味を充分に味わえ、かつ、高級魚として食用人気も高い魚を捕獲するバーチカルジギングも人気となっている。これらの魚は通常水深３０ｍ以深の深度域に生息しており、例えばカンパチは水深１００ｍ〜３００ｍの深度域に生息している。
【０００８】
海中は水深１０ｍ毎に１気圧増えるため、一般に水深３０ｍ以深に生息している魚は、地上に釣り上げられると水圧から解放される減圧の影響を受けて胃袋等の内臓が口から飛び出す状態となることが多い。このような状態の魚をサイズやターゲットの魚ではないため持ち帰らないからといって、そのまま海面でリリースしたとしても、魚は膨らんだ胃袋等の浮力によって自力で生息深度域まで回帰することが困難である。また、仮に内臓が飛び出していなくともショック状態にあるため、自力で遊泳することが困難なことが多い。そのため、釣り上げた魚を再び生息し続けるようにするというリリースの目的を達成することができない。よって、釣具の改良や釣りのバリエーションの広がりが、キャッチアンドリリースの精神の普及を妨げたり、不要な捕獲による水産資源の枯渇にも繋がっている。
【０００９】
魚が生息するためには、何より水圧条件と温度条件を満たす必要がある。そのため、海面から自力で生息深度域まで戻ることができない魚を生息させるためには、釣り上げた魚が生息可能な水圧と温度を有し、それぞれ魚に合った活動可能な深度域まで強制的に沈降させた上でリリースする必要がある。
【００１０】
一方において、リリースに手間取っていては、本来の釣りの興趣を削ぐ結果となり、リリースの普及や実効性を上げることができない。そこで、前記した自力で生息可能な生息深度域まで回帰することができない魚に対してもキャッチアンドリリースの文化を広げるためには、生息可能な任意の深度域迄魚を強制的に沈降してからリリースすることができる新たな釣り具の開発が必要である。
【００１１】
そこで、本考案は、キャッチアンドリリースの文化を広げ、水産資源を保護し無益な殺生を避けるために、釣り上げた魚を生息可能な水圧と温度を有する生息可能な任意の深度域に簡単にリリースすることを可能とするリリースジグを提供することを目的とする。
【課題を解決するための手段】
【００１２】
本考案は上記目的を達成するために、釣り上げた魚を生息深度域にリリースするためのリリースジグであって、ウエイト部材と、該ウエイト部材の一端部から反ウエイト部材方向に延出するとともに湾曲させて先端部を反転させたフック部材と、該フック部材の湾曲部の頂点近傍に装備した結束部材とからなるリリースジグを基本として提供する。
【００１３】
また、結束部材に釣り竿から繰り出したラインを結束して吊支した場合に、フック部材の先端が鉛直方向に位置する構成、及び結束部材に釣り竿から繰り出したラインを結束して海中に投下した場合に、ウエイト部材がフック部材の先端部より先行して沈降する構成を提供する。
【００１４】
そして、ウエイト部材が所定長さの紡錘形からなり、ウエイト部材の長手方向の一端部からフック部材を延出させた構成、及びフック部材の先端部をかえしのない先鋭に形成し、リリースする魚の所定箇所に挿通可能とした構成を提供する。
【００１５】
更に、結束部材が、フック部材の先端に挿通したリリースする魚のウエイト部材方向への移動を規制するストッパとなる構成、結束部材として、フック部材の湾曲部の頂点近傍に環体を形成した構成、ウエイト部材の他端部に補充のウエイトを連結するための連結具を装備した構成、及び連結具として環体を突設した構成を提供する。
【考案の効果】
【００１６】
以上記載した本考案によれば、リリースジグのウエイト部材の重量によってリリースする魚の浮力に打ち勝って、速やかにリリースする魚を生息可能な水圧と温度を有する任意の深度域まで強制的に沈降させることができる。そして、生息可能な水深に到達した魚は活動能力を取り戻すため、リリースジグの引き上げ動作と相俟って、リリースジグから解放することができ、沈降させた魚を生息可能な任意の深度域にてリリースすることができる。そのため、水深３０ｍ以深に生息する魚であっても手際よくリリースの実効性を担保することができ、水産資源を保護し無益な殺生を避けるためのキャッチアンドリリースの文化を広げることができる。
【００１７】
また、使用に際しては、リリースジグのフック部材を釣り上げた魚に挿通するだけでよいため、釣り上げた魚にストレスを与えることなく、スムーズにリリースジグのフック部材を挿通することができる。そのため、釣りの興趣を削ぐことなく、速やかに、かつ、魚体に損傷やストレスを与えないようにリリースをすることが可能である。
【図面の簡単な説明】
【００１８】
【図１】本考案の第１実施形態にかかるリリースジグの正面図。
【図２】図１の斜視図。
【図３】図１の中央横断面図。
【図４】図１の中央縦断面図。
【図５】使用状態を示す説明図。
【図６】本考案の第２実施形態にかかるリリースジグの正面図。
【図７】図６の斜視図。
【図８】図６のＡ−Ａ断面図。
【図９】図６の中央縦断面図。
【図１０】使用状態を示す説明図。
【図１１】使用状態を示す説明図。
【図１２】動作説明図。
【図１３】動作説明図。
【図１４】動作説明図。
【図１５】動作説明図。
【図１６】動作説明図。
【考案を実施するための形態】
【００１９】
以下図面に基づいて本考案にかかるリリースジグの実施形態を説明する。図１は本考案の第１実施形態にかかるリリースジグ１の正面図、図２はその斜視図、図３はその中央横断面図、図４はその中央縦断面図である。図において、１はリリースジグであり、ウエイト部材２、フック部材３、結束部材４及び連結具５とから構成されている。このリリースジグ１によって、釣り上げた魚を生息可能な任意の深度域に速やかにリリースすることができる。
【００２０】
ウエイト部材２は、鉛その他の適宜素材からなる重量物であり、図示例では所定の長さと重量を有する紡錘形に形成されている。よって、図１に示す正面視及び図４に示す中央縦断面形状において略楕円形状を有し、図３に示す中央横断面形状において略円形を有している。ウエイト部材２は、その形状に特に限定はなく、リリースする魚の重量の１／５〜１／２０程度の重量、好ましくは１／５〜１／１０程度の重量を有していればよい。例えば、操作性をよくするために適宜の箇所に平滑な面を形成してもよい。
【００２１】
ウエイト部材２の正面視（図１）における略楕円形状の長径側の一端部２ａから、反ウエイト部材２方向に固い棒状体からなるフック部材３が延出するとともに反転させて略Ｕ字状の湾曲部３ｃを形成するとともに、先端部３ｂを「かえし」のない先鋭に形成している。よって、この先端部３ｂはリリースする魚の所定箇所に挿通可能に形成されている。なお、フック部材３の基部３ａはウエイト部材２の他端部２ｂ近傍まで埋設されて、ウエイト部材２に一体的に固着されている。なお、フック部材３の基部３ａのウエイト部材２における埋設領域に特に限定はなく、ウエイト部材２と一体的に固着できれば、ウエイト部材２の長手方向の全域又は適宜の一部でよい。
【００２２】
フック部材３の湾曲部３ｃの頂点近傍には、環体からなる結束部材４が固着されてフック部材３と一体となるように装備されている。図５の使用状態を示す説明図，図１３の動作説明図に示すように、釣り船６に乗船した釣り人７が操作するロッド８から繰り出したライン９を結束部材４に結束してリリースジグ１を吊支した場合にフック部材３の先端部３ｂが略鉛直方向に位置するとともに、その状態でリリースジグ１を海中に投下した場合に、ウエイト部材２がフック部材３の先端部３ｂより先行して沈降することができれば、その他に結束部材４の形状や取り付け位置に限定はない。なお、１１はリリースジグ１の結束部材４とライン９との間に介在させたヨリモドシである。
【００２３】
また、結束部材４は、図１３の動作説明図に示すように、フック部材３の先端部３ｂに挿通した釣り上げた後にリリースする魚１０（以下、魚１０という）がフック部材３を摺動してウエイト部材２方向へ移動することを規制するストッパとしても機能する。
【００２４】
ウエイト部材２の他端部２ｂには補充のウエイト（図示略）を連結するための連結具５が装備されている。第１実施形態ではこの連結具５は開ループ状の環体であり、開放両端部５ａがウエイト部材２の内部に延長され、ウエイト部材２内においてフック部材３の基部３ａと一体に連結されており、環体部分が連結具５としてウエイト部材２の他端部２ｂから突設されている。この連結具５はウエイト部材２から突設しているため、鉛等から形成されているウエイト部材２を海底等の障害物から保護するガードとしても機能する。よって、連結具５はウエイト部材２の他端部２ｂから突設されており、かつ、補充のウエイトを連結することができれば、その構成や形状に特に限定はない。
【００２５】
次に、図６〜図１０に基づき、本考案の第２実施形態にかかるリリースジグ１ａの構成を説明する。なお、第１実施形態にかかるリリースジグ１と同一の構成については同一の符号を付してその説明を省略する。図６はリリースジグ１ａの正面図、図７はその斜視図、図８は図６のＡ−Ａ断面図、図９はその中央縦断面図である。
【００２６】
第２実施形態では、フック部材３の湾曲部３ｃ近傍の所定箇所に径大部３ｄを形成し、この径大部３ｄに孔３ｅを穿設することによって結束部材４ａとしている。図示例では、湾曲部３ｃの頂点Ｔから角度αだけウエイト部材２側に偏心させた箇所に径大部３ｄを形成している。角度αとしては頂点Ｔを中心として１０度〜３５度程度までの範囲が適当である。この結束部材４ａの用途は、第１実施形態の結束部材４と同様であり、図１０の使用状態を示す説明図に示すように、ライン９を結束部材４ａに結束してリリースジグ１ａを吊支した場合にフック部材３の先端部３ｂが略鉛直方向に位置するとともに、その状態でリリースジグ１ａを海中に投下した場合に、フック部材３の先端部３ｂに先行してウエイト部材２が沈降するものである。その他に結束部材４ａの形状や取り付け位置に限定はない。
【００２７】
第２実施形態では、フック部材３の基部３ａをウエイト部材２の他端部２ｂまで延長させるとともに、その端部を他端部２ｂから突出させて径大部３ｆを形成している。この径大部３ｆに孔３ｇを穿設することによって連結具５ａとし、ウエイト部材２の他端部２ｂに連結具５ａを突設している。また、ウエイト部材２の中に位置するフック部材３の基部３ａの任意の箇所に１又は複数の径大部３ｈを形成して基部３ａの廻り止めとすることによって、フック部材３の基部３ａとウエイト部材２を一体に固着している。また、第２実施形態では、フック部材３の先端部３ｂを延長方向から角度βだけ僅かに（図示例では角度βとして略５度）ウエイト部材２方向に傾斜させている。
【００２８】
次に第１実施形態にかかるリリースジグ１を使用して、魚１０を生息可能な任意の深度域にリリースする方法について説明する。なお、使用方法は第２実施形態にかかるリリースジグ１ａにおいても同様である。先ず図１１，図１２，図１３に示すように、結束部材４をロッド８から繰り出したライン９に結束してリリースジグ１のウエイト部材２を手１２で保持し、フック部材３の先端部３ｂを魚１０の口部に挿通する。挿通する箇所は特に限定はないが、所定の深度域におけるリリースをスムーズに行うため、上あご１０ａ部分に挿通することが好ましい。なお、図１２において１０ｂは胃袋を示しており、魚１０は生息する深度域から釣り上げられて減圧されることにより、胃袋１０ｂが口から飛び出す状態となっている。
【００２９】
そして、魚１０をフック部材３の先端部３ｂに挿通したリリースジグ１を海中に投入する。海中に投入されたリリースジグ１はウエイト部材２の重量が魚１０の浮力より重いため、図１３に示すように、ライン９を繰り出すことにより、ウエイト部材２を下にして海中を沈降する。このとき魚１０は沈降時の海水の抵抗を受けるため、先端部３ｂから抜け落ちることなく、リリースジグ１とともに沈降する。また、沈降時の海水の抵抗によって魚１０がフック部材３をウエイト部材２方向に移動しようとしても、結束部材４がストッパとして機能するため、魚１０は結束部材４に規制されて、それ以上ウエイト部材２方向に移動することがない。
【００３０】
なお、魚１０の状態，重量，浮力等の条件によって、ウエイト部材２の重量が不足し、沈降がスムーズに行われない場合は、ウエイト部材２の他端部２ｂに突設した連結具５に必要重量の錘（図示略）を連結することによって、必要な重量を得るようにする。
【００３１】
図１４は海中を沈降する際の魚１０とリリースジグ１との位置関係を示す動作説明図であり、図に示すように、魚１０は沈降に伴う海水の抵抗によって海面方向に付勢されているため、フック部材３の先端部３ｂから抜け落ちることがない。そして、魚１０が生息可能な水温と水圧を有する深度域に近づくと、図１５に示すように魚１０はショック状態から徐々に回復し、遊泳を開始しようとする。この状態を釣り人７はライン９およびロッド８を介して知ることができるため、沈降を停止させ、ライン９の引き上げ動作及び魚１０の遊泳動作によって、図１６に示すように魚１０はフック部材３の先端部３ｂから脱出し、遊泳を開始する。その後ライン９を巻き上げてリリースジグ１を回収すれば魚１０のリリースは完了する。
【産業上の利用可能性】
【００３２】
以上記載した本考案によれば、リリースジグのウエイト部材の重量によってリリースする魚の浮力に打ち勝って、釣り上げた魚を速やかに生息可能な水圧と温度を有する任意の深度域まで強制的に沈降させることができる。そして、生息可能な水深に到達した魚は活動能力を取り戻すため、リリースジグの引き上げ動作と相俟って、リリースジグから解放することができ、沈降させた魚を生息可能な任意の深度域にてリリースすることができる。そのため、水深３０ｍ以深に生息する魚であってもリリースの実効性を担保することができ、水産資源を保護し無益な殺生を避けるためのキャッチアンドリリースの文化を広げることができる。
【００３３】
また、使用に際しては、リリースジグのフック部材を釣り上げた魚に挿通するだけでよいため、釣り上げた魚にストレスを与えることなく、スムーズにリリースジグのフック部材を挿通することができる。そのため、釣りの興趣を削ぐことなく、速やかに、かつ、魚体に損傷やストレスを与えないようにリリースをすることが可能である。
【符号の説明】
【００３４】
１，１ａ…リリースジグ
２…ウエイト部材
２ａ…一端部
２ｂ…他端部
３…フック部材
３ａ…基部
３ｂ…先端部
３ｃ…湾曲部
３ｄ，３ｆ，３ｈ…径大部
３ｅ，３ｇ…孔
４，４ａ…結束部材
５，５ａ…連結具
６…釣り船
７…釣り人
８…ロッド
９…ライン
１０…（釣り上げた後にリリースする）魚
１１…ヨリモドシ
１２…手
【図１】
0003196937.tif 000003
【図２】
0003196937.tif 000004
【図３】
0003196937.tif 000005
【図４】
0003196937.tif 000006
【図５】
0003196937.tif 000007
【図６】
0003196937.tif 000008
【図７】
0003196937.tif 000009
【図８】
0003196937.tif 000010
【図９】
0003196937.tif 000011
【図１０】
0003196937.tif 000012
【図１１】
0003196937.tif 000013
【図１２】
0003196937.tif 000014
【図１３】
0003196937.tif 000015
【図１４】
0003196937.tif 000016
【図１５】
0003196937.tif 000017
【図１６】
0003196937.tif 000018